(57)【要約】【課題】防水性を保ちつつ、施工の手間を削減する。【解決手段】左右に並ぶ２枚の外壁材２，２の接合部の背面に配される上下方向に長尺なジョイナ３であり、上下方向に長尺で且つ上記の外壁材２，２の側端部の裏面に夫々圧接する左右一対の止水材３１，３１を備える。【選択図】図１
2017106309.tif 000002
【特許請求の範囲】
【請求項１】
左右に並ぶ２枚の外壁材を突き合わせた突き合わせ接合部の背面に配される上下方向に長尺なジョイナであって、上下方向に長尺で且つ上記の外壁材の側端部の裏面に夫々圧接する左右一対の止水材を備えていることを特徴とする外壁材用ジョイナ。
【請求項２】
上記外壁材同士の突き合わせ接合部の背後に配されるとともに上記突き合わせ接合部に向けて開口する上下方向に長い凹溝を上記一対の止水材の間に備えていることを特徴とする請求項１記載の外壁材用ジョイナ。
【請求項３】
上記外壁材の突き合わせ接合部の裏面に接着される接着剤を保持可能な接着剤保持部を備えていることを特徴とする請求項１または２記載の外壁材用ジョイナ。
【請求項４】
前記接着剤保持部は、前記ジョイナの長手方向に沿って複数設けられており、当該接着剤保持部同士の間には、前記外壁材を建物躯体に取り付ける外壁材取付具との干渉を防ぐためのスペースが設けられていることを特徴とする請求項１〜３のいずれか一項に記載の外壁材用ジョイナ。
【請求項５】
請求項１〜４のいずれか１項に記載の外壁材用ジョイナが外壁材同士の突き合わせ接合部の背面に配されていることを特徴とする外壁材の接合部構造。
【請求項６】
上記外壁材の上記接合部寄りの側端部の上端面及び下端面の少なくとも一方における上記止水材対応箇所またはそれよりも左右方向内側に、他の止水材が取り付けられていることを特徴とする請求項５記載の外壁材の接合部構造。
【発明の詳細な説明】
【技術分野】
【０００１】
本発明は、外壁材用ジョイナ及びこのジョイナを用いた外壁材の接合部構造に関するものである。
【背景技術】
【０００２】
特許文献１には、従来の外壁材用ジョイナが開示されている。この特許文献１記載の外壁材用ジョイナは、左右に並ぶ外壁材の間の縦目地にシーリング剤を充填しない、いわゆるシーリングレス工法に用いられる。
【０００３】
特許文献１の外壁の構造は、左右に並ぶ２つの外壁材のうちの一方の外壁材の側端部に裏合いじゃくり部が設けられており、他方の外壁材の側端部には、段差加工がなされていない。この外壁の構造は、２つの外壁材の側端部同士を突き合わせると共に、裏合いじゃくり部には、壁下地に固定されるジョイナの突出部分が挿入される。そして、ジョイナの突出部分と裏合いじゃくり部との間、および該突出部分と他方の外壁材の側端面との間に、パッキン材を介在させることで、シールを図っている。
【先行技術文献】
【特許文献】
【０００４】
【特許文献１】特許第５２７９０８６号公報
【発明の概要】
【発明が解決しようとする課題】
【０００５】
しかしながら、特許文献１記載のジョイナを用いる場合、一方の外壁材の側端部を切削加工して裏合いじゃくり部を形成しなくてはならず、このために施工に手間がかかる。
【０００６】
本発明は上記問題に鑑みてなされたもので、防水性を保ちつつ、施工の手間を削減することができる外壁材用ジョイナ及びこのジョイナを用いた外壁材の接合部構造を提供することを課題とする。
【課題を解決するための手段】
【０００７】
本発明の一態様に係る外壁材用ジョイナは、左右に並ぶ２枚の外壁材を突き合わせた突き合わせ接合部の背面に配される上下方向に長尺なジョイナであって、上下方向に長尺で且つ上記の外壁材の側端部の裏面に夫々圧接する左右一対の止水材を備えていることに特徴を有している。
【０００８】
この外壁材用ジョイナは、上記外壁材同士の突き合わせ接合部の背後に配されるとともに上記突き合わせ接合部に向けて開口する上下方向に長い凹溝を上記一対の止水材の間に備えていることが好ましい。
【０００９】
また、この外壁材用ジョイナは、上記外壁材の突き合わせ接合部の裏面に接着される接着剤を保持可能な接着剤保持部を備えていることが好ましい。
【００１０】
また、この外壁材用ジョイナは、前記接着剤保持部は、前記ジョイナの長手方向に沿って複数設けられており、当該接着剤保持部同士の間には、前記外壁材を建物躯体に取り付ける外壁材取付具との干渉を防ぐためのスペースが設けられていることが好ましい。
【００１１】
そして、本発明の一態様に係る外壁材の接合部構造は、上記外壁材用ジョイナが外壁材同士の突き合わせ接合部の背面に配されていることを特徴とする。
【００１２】
また、この外壁材の接合部構造は、上記外壁材の上記接合部寄りの側端部の上端面及び下端面の少なくとも一方における上記止水材対応箇所またはそれよりも左右方向内側に、他の止水材が取り付けられていることが好ましい。
【発明の効果】
【００１３】
本発明によれば、外壁材の側端部の裏面に圧接する止水材で防水を図ることができるために、いわゆるシーリングレス工法による外壁材の接合を簡便に行うことができる。
【図面の簡単な説明】
【００１４】
【図１】本発明の実施形態１に係る外壁材の接合部構造の破断斜視図である。
【図２】同上の破断斜視図である。
【図３】同上の破断斜視図である。
【図４】本発明の実施形態２に係る外壁材の接合部構造の外壁材を省略した斜視図である。
【図５】同上の破断斜視図である。
【図６】同上の水平断面図である。
【発明を実施するための形態】
【００１５】
〔実施形態１〕
以下、本発明の一実施形態について添付図面に基づいて詳述する。
【００１６】
図１〜図３において、符号２は外壁材を示す。外壁材２は、正面視矩形状のパネル型の外壁材であり、柱や構造用パネル等の建物躯体８の屋外側に設置される。本実施形態の外壁材２は、建物躯体８としての柱に固定された縦胴縁７に対して、外壁材取付具５を介して固定されるか、あるいは、柱に対して外壁材取付具６を介して固定される。
【００１７】
建物躯体８の外面に縦胴縁７を介して外壁材２を取り付ける場合を説明する。この場合に用いられる外壁材取付具５は、縦胴縁７の表面に固定される矩形板状の固定板部５０を有する。固定板部５０の上部の幅方向中央には、固定用ビス８０が挿通されるビス孔が貫通形成されている。また、固定板部５０の表面（屋外側の面）の上下方向の略中央部には、矩形板状の支持片５１が突出している。支持片５１は、外壁材取付具５の上側に位置する外壁材２（上方側の外壁材２という）の下端を支持する。
【００１８】
この支持片５１の突出端における左右方向の両側部分は、下側折曲片５３となっている。下側折曲片５３は、支持片５１の先端が下側に階段状に折り曲げられて形成されており、外壁材取付具５の下側に位置する外壁材２（下方側の外壁材２という）の裏実部２１が引っ掛けられる。裏実部２１は、外壁材２の上端部の裏側端部に形成されている。
【００１９】
一方、支持片５１の突出端における左右方向の中央部は、上側に折り曲げられた上側折曲片５２となっている。上側折曲片５２は、前側ほど上方に位置するよう傾斜しており、上方側の外壁材２の下端に形成された係止溝２３に係止するように構成される。
【００２０】
なお、このとき、上方側の外壁材２の表面側の下縁に設けられた表実部２２が、下方側の外壁材２の上縁の裏実部２１と正面視で重なり、上方側の外壁材２と下方側の外壁材２とが合いじゃくり接合される（この部分を合いじゃくり接合部という）ため、上下に並ぶ外壁材２，２間の防水が図られる。
【００２１】
また、固定板部５０の幅方向（左右方向）の両端には、屋外側に突出して縦胴縁７と外壁材２との間の間隔を保持する一対の間隔保持板部５４が形成されている。各間隔保持板部５４の突出端は、固定板部５０の幅方向の外側に折り曲げられており、この突出端が外壁材２の裏面に接触している。
【００２２】
次に、建物躯体８に対し、縦胴縁７を介さずに外壁材取付具６を取り付ける場合を説明する。この場合に用いられる外壁材取付具６は、上記の外壁材取付具５と同様に、固定板部５０の表面（屋外側の面）の上下方向の略中央部には、矩形板状の支持片６１が突出している。支持片６１は、上方側の外壁材２の下端を支持する。
【００２３】
この支持片６１の突出端における左右方向の両側部分は、下側折曲片６３となっている。下側折曲片６３は、支持片６１の先端が下側に階段状に折り曲げられて形成されており、下方側の外壁材２の裏実部２１が引っ掛けられる。裏実部２１は、外壁材２の上端部の裏側端部に形成されている。
【００２４】
一方、支持片６１の突出端における左右方向の中央部は、上側に折り曲げられた上側折曲片６２となっている。上側折曲片６２は、前側ほど上方に位置するよう傾斜しており、上方側の外壁材２の下端に形成された係止溝２３に係止するように構成される。
【００２５】
そして、左右に並ぶ外壁材２，２は、シーリングレス工法で接合される。外壁材２，２の側端面は段差加工が施されておらず、端面同士が突き付けで接合されており、この突き付け部分（以下、突き合わせ接合部）の背後側にジョイナ３が配される。
【００２６】
ジョイナ３は、屋外側に開口する平面視略コ字状に形成されており、上下方向に長尺な部材である。ジョイナ３は、例えばアルミニウムや樹脂の押出成形品や、折り曲げ加工された鋼板製である。ジョイナ３は、凹溝３０を有している。凹溝３０は、建物躯体８に接する底板部３４と、該底板部３４の幅方向両端から前方に突出する一対の側板部３５とを有している。凹溝３０は、底板部３４及び一対の側板部３５によって平面視略コ字状に形成されて屋外側に開口しており、また、上下両端部が各々上方及び下方に開口するように形成される。凹溝３０は、外壁材２，２同士の左右の突き合わせ接合部の背面側において、屋外側に開口するように配置されている。
【００２７】
このジョイナ３は、凹溝３０の底部である底板部３４を貫通させたビスや釘等の固定具で建物躯体８に固定される。なお、凹溝３０は後述するように雨水排水部として用いる関係上、上記固定具には、ボンデッドワッシャー等の止水ワッシャーを取り付けたり、固定具として止水機能付ビスを用いることが好ましい。
【００２８】
ジョイナ３の両側板部３５の前端部、即ち凹溝３０の左右の開口縁には、夫々止水材３１，３１が取り付けられる止水材保持部３７，３７が設けられている。止水材３１は、例えば軟質塩化ビニル樹脂、ＥＰＤＭやクロロプレンシリコン等の軟質材からなるもので、上下方向に長尺でかつ外壁面に沿った板状の基端部３１ａと、該基端部３１ａの左右方向中央からジョイナ３の上下方向全長にわたって凹溝３０の開口面よりも屋外側に突出し、外壁材２の裏面に圧接されるフィン状部３１ｂを有している。このフィン状部３１ｂは、その突出端が凹溝３０の開口部中央寄りに傾いていることが好ましい。
【００２９】
一方、上記止水材保持部３７は、断面略コ字状に形成された一対の止水材保持溝３７ａにより構成される。一対の止水材保持溝３７ａの開口部は互いに対向している。一対の止水材保持溝３７ａの先端は、互いに接近するように延設されており、該止水材保持溝３７ａに嵌め込まれた止水材３１の基端部３１ａの左右両端部を保持している。なお、本実施形態では、上記止水材保持溝３７ａに止水材３１の基端部３１ａを嵌め込むことで止水材３１を保持しているが、例えば、基端部３１ａの裏面に貼り付けた両面接着テープ等の手段で止水材保持部３７に取り付けてもよい。
【００３０】
一対の止水材３１，３１のうちの一方は、左右に並ぶ外壁材２，２のうちの一方の背面に密着し、他方の止水材３１は他方の外壁材２の背面に密着することで、外壁材２と外壁材２との突き合わせ接合部から屋内側に浸入した雨水が、外壁材２の裏面に沿って左右に広がることを防止する。また、外壁材２の収縮のために、突き合わせ接合部において隙間が生じ、この隙間から雨水が吹き込んでも、凹溝３０によって受けることができる。この凹溝３０は、上記の如く下端部が下方に開口しており、浸入してきた雨水は凹溝３０によって下方へと流されて外部に排出されるために、左右に広がることはない。なお、上記ジョイナ３の下端が最下段の外壁材２の下端よりも下方に位置している場合には、上記凹溝３０の下端部は下方に開口していなくてもよい。
【００３１】
図１に示すように、外壁材２の側端部付近の裏実部２１上端面には、水の横走りを防止するための止水材３６を取り付けておくのが好ましい。この止水材３６は、例えば、軟質塩化ビニル樹脂、ＥＰＤＭやクロロプレンシリコン等の軟質材からなり、外壁材２の上記上端における止水材３１が接する部分に位置しているか、この部分よりも外壁材２同士の突き合わせ面に近い位置にあることが好ましい。これにより、突き合わせ接合部に浸入した雨水が裏実部２１に沿って横走りするのを抑制でき、当該雨水を凹溝３０に導くことが可能となる。その結果、突き合わせ接合部に浸入した水が止水材３１の左右方向外側に流出するのを防止することができる。
【００３２】
また、左右の側板部３５の前端には、夫々接着剤保持部３２が上記ジョイナ３の上下方向全体に亘って形成されている。該接着剤保持部３２は、側板部３５の左右方向外側に広がるように形成されており、上記止水材３１よりも左右方向外側に位置している。また、各接着剤保持部３２は、屋外側に開口して接着剤３３が充填される接着剤保持溝３２ａを有している。
【００３３】
ここにおける接着剤３３は、外壁材２の背面に接着して、ジョイナ３と外壁材２とを接着固定することで、突き付けられた外壁材２の縦目地を跨ぐように、ジョイナ３と外壁材２の端部とが、接着剤３３を介して強固に固定されているので、外壁材２が経年で寸法収縮しても、外壁材２の側端部同士が離間するのを抑制する。このため、突き合わせ接合部の隙間が拡大せず、防水性を保持することが可能となると共に、外観上の不具合が生じない。また、施工後の初期段階で外壁材２が水を吸収して膨張し、外壁材２の側端部同士が突き合わせ部で押し合って屋外側に浮き上がろうとしても、上記の如くジョイナ３と外壁材２とを接着固定することで、この浮き上がりを防ぎ、防水性を高めることができる。
【００３４】
なお、接着剤３３は、接着剤保持溝３２ａのうち、上下に隣接する外壁材２，２同士の接合部の近傍に位置する箇所には充填されていないことが好ましい。外壁材２を施工する際に接着剤３３が押圧されて外壁材２の接合部からはみ出るのを防ぐためである。
【００３５】
上記の止水材３１は、予めジョイナ３に取り付けられた状態で工場出荷される。接着剤３３については施工現場において接着剤保持溝３２ａに充填される。なお、接着剤３３も上記止水材３１と同様に予めジョイナ３に取り付けられた状態で出荷されてもよい。
【００３６】
接着剤保持部３２は、止水材３１よりも左右方向外側にあることが好ましいが、止水材３１よりも内側に配置されてもよい。
【００３７】
ジョイナ３に接着剤３３を保持する接着剤保持部３２を設けて、ジョイナ３と外壁材２とを接着固定する場合、ジョイナ３は建物躯体８に固定されていなくてもよい。この場合、建物躯体８の外面に両面接着テープや接着剤で仮止めした状態で、外壁材２を施工することで、ジョイナ３は外壁材２を介して固定されることになる。
【００３８】
〔実施形態２〕
次に、実施形態２について図４〜６に基づいて説明する。なお、本実施形態は実施形態１と大部分において同じであるため、同じ部分においては同符号を付して説明を省略し、主に異なる部分について説明する。
【００３９】
本実施形態の外壁材用ジョイナ３（以下、ジョイナ３という）は、図４に示すように、建物躯体８に取り付けられる。本実施形態の建物躯体８は、柱８１（間柱を含む）と、柱の屋外側に配置された構造用合板８２と、構造用合板の屋外側面に設けられた透湿防水シート８３とを備えた壁下地により構成される。
【００４０】
ジョイナ３は、実施形態１のジョイナ３と同様、上下方向に長尺な金属部材であり、金属板を曲げ加工することで形成されている。ジョイナ３は、屋外側に開口部を有する平面視略コ字状に形成された凹溝３０と、凹溝３０の屋外側の端部に形成された止水材保持部３７と、止水材保持部３７から延出した複数の接着剤保持部３２とを備えている。
【００４１】
凹溝３０は、実施形態１と同様、図５に示すように、底板部３４と、底板部３４の幅方向両端から前方に突出した一対の側板部３５とを有している。ジョイナ３は、底板部３４に挿通された固着具が建物躯体８にねじ込まれることで、建物躯体８に取り付けられる。
【００４２】
止水材保持部３７は、底板部３４の屋外側の端部から互いに離れる方向に延びた一対のフランジ片３７０により構成されている。止水材保持部３７には、帯状の止水材３６が貼着されるように構成されている。止水材保持部３７は、凹溝３０の長さ方向の全長にわたって連続的に形成されている。
【００４３】
複数の接着剤保持部３２は、止水材保持部３７の先端から、外壁材２の裏面に沿って延出している。接着剤保持部３２は、平面視略矩形状に形成されている。接着剤保持部３２には、接着剤３３が塗布可能に構成されており、接着剤３３を外壁材２の裏側に保持することができる。
【００４４】
接着剤保持部３２に接着剤３３が塗布された状態で、外壁材２が設置されると、図６に示すように、接着剤保持部３２と外壁材２との間に接着剤３３が押し広げられる。このとき、外壁材２と止水材３６とは密着した状態となり、この状態で接着剤３３が硬化すると、外壁材２の側端部の浮き上がりを防ぐことができる上に、突き合わせ接合部から雨水が浸入しても、躯体側に浸水することなく、雨水を凹溝３０に沿って流下させることができる。
【００４５】
また、本実施形態において上下方向に並ぶ複数の接着剤保持部３２の間には、図４に示すように、スペース３８が形成されている。本実施形態のスペース３８は、第一スペース３８０と、第二スペース３８１とを有している。第一スペース３８０は、第二スペース３８１に比べて上下方向の長さが長く形成されているが、左右方向の幅は同じである。図５に示すように、第一スペース３８０は、外壁材２の合いじゃくり接合部に対応する部分が位置するように形成されており、第一スペース３８０には、外壁材取付具６が配置される。
【００４６】
このように、本実施形態のジョイナ３によれば、外壁材２を建物躯体８に取り付けるための外壁材取付具６が隣接配置されていても、接着剤保持部３２の面積を大きくすることができるため、より一層、外壁材２の側端部の浮き上がり等を防ぐことができる。また、接着剤３３の面積を大きくとれるため、外壁材２の裏面と止水材３１との密着をより強固にでき、止水性を向上することができる。
【００４７】
〔効果〕
以上説明したように、上記実施形態の外壁材用ジョイナ３は、左右に並ぶ２枚の外壁材２を突き合わせた突き合わせ接合部の背面に配される上下方向に長尺なジョイナ３である。上下方向に長尺で且つ外壁材２の側端部の裏面に夫々圧接する左右一対の止水材３１を備えている。
【００４８】
この構成によれば、外壁材２の側端部の裏面に圧接する止水材３１で、突き合わせ接合部からの浸水に対する防水を図ることができる。このため、いわゆるシーリングレス工法による外壁材２の接合を簡便に行うことができる。
【００４９】
また、上記実施形態の外壁材用ジョイナ３は、次の付加的な構成を備える。すなわち、上記実施形態の外壁材用ジョイナ３は、外壁材２同士の突き合わせ接合部の背後に配されるとともに、突き合わせ接合部に向けて開口する上下方向に長い凹溝３０を一対の止水材３１の間に備えている。なお、ここでいう「一対の止水材３１の間」とは、正面視における一対の止水材３１の間を意味する。
【００５０】
この構成によれば、突き合わせ接合部から浸入する雨水の大部分を凹溝３０で受けることができる一方、外壁材２の裏面を伝って広がろうとした雨水については、止水材３１で遮ることができる。この結果、突き合わせ接合部における防水性が向上する。
【００５１】
また、上記実施形態の外壁材用ジョイナ３は、次の付加的な構成を備える。すなわち、上記実施形態の外壁材用ジョイナ３は、外壁材２の突き合わせ接合部の裏面に接着される接着剤３３を保持可能な接着剤保持部３２を備えている。
【００５２】
この構成によれば、外壁材２が経年で寸法収縮しても、外壁材２の側端部同士が離間するのを抑制するため、突き合わせ部の隙間が拡大せず、防水性を保持することが可能となると共に、外観上の不具合が生じない。また、施工後の初期段階で外壁材２が水を吸収して膨張し、外壁材２の突き合わせ接合部における側端部の浮き上がるのを抑制することができる。
【００５３】
また、上記実施形態の外壁材用ジョイナ３は、次の付加的な構成を備える。すなわち、上記実施形態の外壁材用ジョイナ３は、接着剤保持部３２は、前記ジョイナ３の長手方向に沿って複数設けられており、当該接着剤保持部３２同士の間には、外壁材２を建物躯体に取り付ける外壁材取付具６との干渉を防ぐためのスペース３８が設けられている。
【００５４】
この構成によれば、外壁材２を建物躯体８に取り付けるための外壁材取付具５が隣接配置されていても、接着剤保持部３２の面積を大きくすることができるため、より一層、外壁材２の側端部の浮き上がり等を防ぐことができる。また、接着剤３３の面積を大きくとれるため、外壁材２の裏面と止水材３１との密着をより強固にでき、止水性を向上することができる。
【００５５】
また、上記実施形態の外壁材の接合部構造は、外壁材用ジョイナ３が外壁材２同士の突き合わせ接合部の背面に配されていることを特徴とする。
【００５６】
この構成によれば、突き合わせ接合部にシールがされていなくても、外壁材２の側端部の裏面に圧接する止水材３１で、突き合わせ接合部からの雨水の浸入に対する防水を図ることができる。
【００５７】
また、上記実施形態の外壁材の接合部構造は、次の付加的な構成を備える。すなわち、上記実施形態の外壁材の接合部構造は、外壁材２の接合部寄りの側端部の上端面及び下端面の少なくとも一方における止水材３１対応箇所、またはそれよりも左右方向内側に、他の止水材３６が取り付けられている。なお、ここでいう「止水材３１対応箇所」とは、外壁材２において正面視で止水材３１と重なる箇所をいう。
【００５８】
この構成によれば、突き合わせ接合部に浸入した雨水が外壁材２の上端面および下端面の少なくとも一方に沿って横走りするのを抑制でき、当該雨水を凹溝３０に導くことが可能となる。
【００５９】
〔応用〕
上記実施形態では、外壁材２として平板状のパネル型のものを示したが、一方の外壁材２は、建物の出隅部分に配される水平断面Ｌ字形のものであってもよい。また、建物の出隅部分への外壁材２の取付固定を、水平断面がＬ字形で上下方向に長尺な出隅下地材を介して行う場合、この出隅下地材の両側端に夫々上記ジョイナ３を一体に設けたものとしてもよい。出隅部分の外壁施工を更に簡便なものとすることができる。
【符号の説明】
【００６０】
２      外壁材
３      ジョイナ
５，６    外壁材取付具
８      建物躯体
３０    凹溝
３１    止水材
３２    接着剤保持部
３３    接着剤
３８    スペース
【図１】
2017106309.tif 000003
【図２】
2017106309.tif 000004
【図３】
2017106309.tif 000005
【図４】
2017106309.tif 000006
【図５】
2017106309.tif 000007
【図６】
2017106309.tif 000008